(57)【特許請求の範囲】
【請求項１】
陰極線管のカプラー内に空気を注入し，空気圧を計測して前記カプラー内の液漏れを検査するカプラー液漏れ検査工程と、
前記カプラー内に冷却液を注入する冷却液注入工程と、
メカニカルシャット機構を用いたエアーシリンダーによって駆動される円筒体の離接により所望に開閉が切り換えられる開閉弁を用いて冷却液注入後に前記カプラー内に存在する空気を真空吸引して取り除く複数の脱泡工程と、
脱泡により目減りした冷却液を前記カプラーの所定水位まで補給する冷却液補給工程と、
を備えたことを特徴とする液冷型陰極線管の製造方法。
【請求項２】
陰極線管のカプラー内に空気を注入し空気圧を計測して前記カプラー内の液漏れを検査するカプラー液漏れ検査手段と、
前記カプラー内に冷却液を注入する冷却液注入手段と、
メカニカルシャット機構を用いたエアーシリンダーによって駆動される円筒体の離接により所望に開閉が切り換えられる開閉弁を用いて冷却液注入後に前記カプラー内に存在する空気を真空吸引して取り除く複数の脱泡手段と、
脱泡により目減りした冷却液を前記カプラーの所定水位まで補給する冷却液補給手段と、
を備えたことを特徴とする液冷型陰極線管の製造装置。
【発明の詳細な説明】
【０００１】
【発明の属する技術分野】
本発明は、投射型テレビジョン受信機を構成する液冷型陰極線管のカプラー内に冷却液を封入する方法とその製造装置に関する。
【０００２】
【従来の技術】
投射型テレビジョン受信機を構成する液冷型陰極線管の製造方法として、例えば、特開平１０−１６２７３８号公報では液冷型陰極線管のカプラー内に冷却液を注入する前に、カプラーの液漏れを空気圧によりチェックする方法を提案している。
【０００３】
【発明が解決しようとする課題】
しかし、液冷型陰極線管に冷却液を封入する工程は、カプラーの液漏れチェックの他に、カプラー内に冷却液を注入した後、冷却液中に混入した空気や、レンズ，調圧用ダイヤフラム，カプラー等の組合せにより構成される小さな隙間に存在する空気等を取り除く脱泡処理が必要である。
また、脱泡処理により目減りした冷却液をカプラー内の所定水位まで補給する冷却液補給処理が必要である。
前記脱泡処理を怠ったり，目減りした冷却液を所定水位まで補給しなかった場合、組み立て過程や輸送過程でカプラー内に存在する空気がカプラー内の任意の部位に移動し、映像投射に際して映像むら等の悪影響を及ぼす恐れがある。
【０００４】
本発明の液冷型陰極線管の製造方法と製造装置はカプラーの液漏れチェック、冷却液注入、脱泡、冷却液補給の各工程を備えるとともに、各工程を自動化することを目的とする。
【０００５】
【課題を解決するための手段】
上記課題を解決するために本発明の冷型陰極線管の製造方法と製造装置は、カプラーの液漏れチェック、カプラー内への冷却液注入、カプラー内の脱泡、カプラー内への冷却液補給の各工程を備えた構成とした。また、前記各工程の自動化ステージを備えた製造装置とした。
さらに、前記冷却液注入手段が光ファイバー液面センサーを備えた構成とした。
さらに、脱泡工程を複数ステージ設けた構成とした。
【０００６】
上記構成により本発明は能率良く冷却液を封入でき、液漏れや液不足の無い信頼性高い液冷型陰極線管を構成できる。
【０００７】
【発明の実施の形態】
本発明における第1の発明は、陰極線管のカプラー内に空気を注入し空気圧を計測して前記カプラー内の液漏れを検査するカプラー液漏れ検査手段と、前記カプラー内に冷却液を注入する冷却液注入手段と、冷却液注入後に前記カプラー内に存在する空気を真空吸引して取り除く脱泡手段と、脱泡により目減りした冷却液を前記カプラーの所定水位まで補給する冷却液補給手段とを備えたことを特徴とする液冷型陰極線管の製造装置としたもので、能率良く冷却液を封入でき、液漏れや液不足の無い信頼性高い液冷型陰極線管を構成できる。
【０００８】
また、第２の発明は、冷却液注入手段が光ファイバー液面センサーを備えたことを特徴とする第１の発明に記載の液冷型陰極線管の製造装置としたもので、カプラー内の冷却液水位を正確に監視し、所望の水位に冷却液を注入できる。
【０００９】
以下、本発明の一実施の形態における液冷型陰極線管の製造方法と製造装置について、図面を用いて説明する。
【００１０】
（実施の形態）
図1は本発明の一実施の形態における液冷型陰極線管製造工程の概念のフロー図、図２は図１を具体化した液冷型陰極線管製造装置の要部斜視図、図３は図２を構成する冷却液注入手段の要部正面図、図４は図２を構成する脱泡手段の要部側面図を示す。
【００１１】
図１、図２において、符号１００は本発明の一実施の形態における冷却液封入装置、２００は陰極線管（ＣＲＴ）、１０は陰極線管の供給・取り出し工程、２０はカプラーの液漏れ検査工程、３０は冷却液（冷媒）注入工程、４０は脱泡工程、５０は冷却液補給工程、３１は冷却液注入手段、３２は冷却液注入管、３３はフィルター、３５は液送タンク、３６は予備脱泡ポンプ、３７は予備脱泡用タンク、３８は冷却液ドラム、３９は蓋体、４５は脱泡ポンプを示す。
【００１２】
本発明の液冷型陰極線管の製造工程は図１に示すように、陰極線管のカプラー内に空気を注入し，空気圧を計測して前記カプラー内の液漏れを検査するカプラー液漏れ検査工程２０と、前記カプラー内に冷却液を注入する冷却液注入工程３０と、冷却液注入後に前記カプラー内に存在する空気を真空吸引して取り除く脱泡工程４０と、脱泡により目減りした冷却液を前記カプラーの所定水位まで補給する冷却液補給工程５０とを備えてなる。前記脱泡工程４０は複数の脱泡工程４１，４２，４３，４４を備えた構成とした。
【００１３】
本発明の冷却液封入装置１００を図２に示す。図１においてワークステーションと記載したステージ１０では、人出または自動機により陰極線管２００の供給・取り出しを行う。
【００１４】
空気圧を計測してカプラー２０１内の液漏れを検査するカプラー液漏れ検査工程２０は市販のエアーリークテスター２１を用いて実施される。エアーリークテスト条件は約３０ＫＰａで２０秒間程度実施した。
【００１５】
カプラー２０１内に冷却液を注入する冷却液注入工程３０は図２、図３に示すように、冷却液ドラム３８、予備脱泡用タンク３７、液送タンク３５、フィルター３３、冷却液注入管３２、吐出バルブ３３を経由して実施される。前記フィルター３３は冷却液に何らかの理由で混入した異物を除去する。
【００１６】
冷却液注入動作はまず、蓋体３９を下降させカプラー２０１の注入孔２０２を閉蓋する。その後、光ファイバー液面センサー３４でカプラー２０１内の冷却液面を監視しながら冷却液たとえばエチレングリコールを所定水位になる迄注入した。注入時間は約２０秒程度要する。
【００１７】
冷却液注入後に、前記カプラー２０１内に存在する空気を真空吸引して取り除く脱泡工程４０は図１、図２、図４に示すように、４つのステージで脱泡ポンプ４５を用いて実施される。脱泡作業は当然の事ながら注入孔２０２をエアーシリンダー２３等により駆動される蓋体２２を用いて気密状態に閉蓋して実施される。
図４に示すように、脱泡のための真空吸引はメカニカルシャット機構を用いた開閉弁２４を介して実施される。開閉弁２４はエアーシリンダー２５によって駆動される円筒体２６の離接により所望に開閉が切り換えられる
従って、各脱泡工程４１〜４４間でターンテーブル１０１が回転し真空吸引の途切れる区間が存在しても、前記開閉弁２４によって真空吸引経路は大気と遮断され、カプラー２０１内の真空度はほぼ変化しない。真空吸引動作は脱泡工程４１〜４４間にわたって２０秒×４＝合計８０秒間程度脱泡処理される。
【００１８】
次に、脱泡工程により目減りした冷却液を前記カプラー２０１の所定水位まで補給する冷却液補給工程５０は、冷却液注入工程３０と同様の装置と工程を経て実施される。当然のことながら、冷却液の補給は光ファイバー液面センサー３４でカプラー２０１内の冷却液面を監視しながらエチレングリコールが所定水位になる迄注入される。
【００１９】
その後、前記カプラーの注入孔２０２に圧力調整用ダイヤフラムを挿入し、続いて所定の蓋体で注入孔２０２を閉蓋することにより液冷型陰極線管の冷却液封入作業が終了する。そして、必要に応じ液冷型陰極線管のエージングが実施される。（いずれも図示せず。）
【００２０】
【発明の効果】
以上のように本発明は、自動的に能率良く冷却液を封入でき、脱泡処理と冷却液の補給とにより、液漏れや液不足の無い信頼性高い液冷型陰極線管を構成できる。
【図面の簡単な説明】
【図１】本発明の一実施の形態における液冷型陰極線管製造工程の概念のフロー図
【図２】本発明の一実施の形態における液冷型陰極線管製造装置の要部斜視図
【図３】図２を構成する冷却液注入手段の要部正面図
【図４】図２を構成する脱泡手段の要部側面図
【符号の説明】
１０  陰極線管の供給・取り出し工程
２０  カプラーの液漏れ検査工程
２１  エアーリークテスター
２２  蓋体
２３、２５  シリンダー
２４  開閉弁（メカニカルシャットバルブ）
２６  円筒体
３０  冷却液（冷媒）
４０  脱泡工程
５０  冷却液補給工程
３１  冷却液注入手段
３２  冷却液注入管
３３  フィルター
３４  液面センサー（光ファイバー）
３５  液送タンク
３６  予備脱泡ポンプ
３７  予備脱泡用タンク
３８  冷却液ドラム
３９  蓋体
４５  脱泡ポンプ
１００  冷却液封入装置
２００  陰極線管（ＣＲＴ）
２０１  カプラー
２０２  注入孔
２１０  レンズ
【図１】
0004631127.tif 000002
【図２】
0004631127.tif 000003
【図３】
0004631127.tif 000004
【図４】
0004631127.tif 000005